(57)【要約】【課題】  画像形成装置のインターフェースに対する外部機器の接続を検出する。【解決手段】  画像形成装置は、用紙に画像を形成する画像形成部と、外部機器が接続されるインターフェースと、前記外部機器を前記インターフェースに接続するときの物理的な変化を検出する検出素子と、を備える。前記検出素子の出力に基づいて、前記外部機器が前記インターフェースに接続されていると判別したときに、省電力モードを解除するＣＰＵを更に備えることができる。前記外部機器との通信を制御するコントローラと、前記検出素子の出力に基づいて、前記外部機器が前記インターフェースに接続されていると判別するまで、前記コントローラへの電力供給を禁止するＣＰＵと、を更に備えることができる。【選択図】図３
2011079313.tif 000002
【特許請求の範囲】
【請求項１】
用紙に画像を形成する画像形成部と、
外部機器が接続されるインターフェースと、
前記外部機器を前記インターフェースに接続するときの物理的な変化を検出する検出素子と、
を備えることを特徴とする画像形成装置。
【請求項２】
前記検出素子の出力に基づいて、前記外部機器が前記インターフェースに接続されていると判別したときに、省電力モードを解除するＣＰＵを備えることを特徴とする請求項１に記載の画像形成装置。
【請求項３】
前記外部機器との通信を制御するコントローラと、
前記検出素子の出力に基づいて、前記外部機器が前記インターフェースに接続されていると判別するまで、前記コントローラへの電力供給を禁止するＣＰＵと、
を備えることを特徴とする請求項１に記載の画像形成装置。
【請求項４】
前記コントローラに電力を供給する経路に設けられ、前記ＣＰＵからの制御信号に応じて、前記コントローラへの電力供給を許容する状態と、電力供給を禁止する状態との間で切り替わるスイッチを備えることを特徴とする請求項３に記載の画像形成装置。
【請求項５】
画像形成装置のインターフェースに外部機器が接続されていることを示す検出信号を検出素子が出力し、
前記検出信号の入力を受けたＣＰＵが省電力モードの設定を解除することを特徴とする画像形成装置の制御方法。
【請求項６】
前記画像形成装置のインターフェースに外部機器が接続されていることを示す検出信号を検出素子が出力し、
前記検出信号の入力を受けるまで、ＣＰＵは、前記外部機器との通信を制御するコントローラに対する電力供給を禁止することを特徴とする画像形成装置の制御方法。
【請求項７】
前記外部機器が前記インターフェースと接続するときに、前記検出素子は前記外部機器に押されて前記検出信号を出力することを特徴とする請求項５に記載の制御方法。
【請求項８】
前記外部機器が前記インターフェースと接続するときに、前記外部機器と接触してレバーが移動し、
前記検出素子が前記レバーに押されて前記検出信号を出力することを特徴とする請求項５に記載の制御方法。
【発明の詳細な説明】
【技術分野】
【０００１】
本発明は、外部機器が接続される画像形成装置に関する。
【背景技術】
【０００２】
ＵＳＢデバイスを装着できる画像形成装置がある。印刷処理等を行わないときには、電力消費を低減するための省電力モードを設定できる画像形成装置がある。
【発明の概要】
【発明が解決しようとする課題】
【０００３】
本発明の目的は、画像形成装置のインターフェースに対する外部機器の接続を検出することができる画像形成装置を提供することにある。
【課題を解決するための手段】
【０００４】
本発明の一態様である画像形成装置は、用紙に画像を形成する画像形成部と、外部機器が接続されるインターフェースと、前記外部機器を前記インターフェースに接続するときの物理的な変化を検出する検出素子と、を備えることを特徴とする。
【０００５】
また、本発明の一態様である画像形成装置の制御方法は、前記画像形成装置のインターフェースに外部機器が接続されていることを示す検出信号を検出素子が出力し、前記検出信号の入力を受けたＣＰＵが省電力モードの設定を解除することを特徴とする。
【０００６】
また、本発明の一態様である画像形成装置の制御方法は、前記画像形成装置のインターフェースに外部機器が接続されていることを示す検出信号を検出素子が出力し、前記検出信号の入力を受けるまで、ＣＰＵは、前記外部機器との通信を制御するコントローラに対する電力供給を禁止することを特徴とする。
【図面の簡単な説明】
【０００７】
【図１】画像形成装置の内部構造を示す概略図である。
【図２】画像形成装置の回路構成を示す図である。
【図３】ＵＳＢデバイスを画像形成装置に接続するための回路構成を示す図である。
【図４】ＵＳＢデバイスおよび画像形成装置の接続部分の構成を示す回路図である。
【図５】ＵＳＢデバイスを接続したときの画像形成装置の動作を示すフローチャートである。
【図６】ＵＳＢデバイスを接続したときの画像形成装置の動作を示すフローチャート図である。
【図７】コントロールパネルの表示例を示す図である。
【図８】第２の実施形態における検出機構の構成を示す図である。
【図９】第３の実施形態における検出機構の構成を示す図である。
【図１０】ＵＳＢケーブルを画像形成装置に接続するための回路構成を示す図である。
【図１１】ＵＳＢケーブルを接続したときの画像形成装置の動作を示すフローチャートである。
【図１２】ＵＳＢケーブルを接続したときの画像形成装置の動作を示すフローチャートである。
【発明を実施するための形態】
【０００８】
（第１の実施形態）
図１は、画像形成装置の内部構造を示す。画像形成装置１００は、スキャナ１１０および画像形成部１２０を備える。
【０００９】
スキャナ１１０は、原稿の画像をスキャンして読み取る。画像形成部１２０は、用紙にトナー画像を形成する。トナー画像は、例えば、スキャナ１１０の読み取り動作によって生成した画像データや、外部機器（例えば、Personal Computer）から画像形成装置１００に送信した画像データ等に基づいて生成される。
【００１０】
コントロールパネル１６０は、画像形成装置１００の動作に関する情報を表示したり、この情報をユーザが入力したりするために用いられる。コントロールパネル１６０は、例えば、キーボード（Keyboard）、マウス（Mouse）、タッチパネル（touch panel）、タッチパッド（touchpad）、ペンタブレット（graphics tablet）、専用ボタン等で構成できる。
【００１１】
画像形成装置１００の処理の一例として、コピー処理の概要を説明する。
【００１２】
ピックアップローラ１３１は、給紙カセット１３０の用紙をピックアップし、ピックアップ後の用紙は、搬送路Ｐ１に沿って移動する。複数のローラ１３２が搬送路Ｐ１にあり、複数のローラ１３２の回転によって用紙が移動する。
【００１３】
画像形成部１２０は、入力された画像データに基づいて、感光体１２１Ｙ、１２１Ｍ、１２１Ｃおよび１２１Ｋの感光面上に静電潜像を形成する。感光体１２１Ｙ〜１２１Ｋは、イエロ（Ｙ）、マゼンタ（Ｍ）、シアン（Ｃ）およびブラック（Ｋ）のトナー像を用紙に転写するために用いる。
【００１４】
現像ローラ（いわゆる、マグローラ）１２２Ｙ、１２２Ｍ、１２２Ｃ、１２２Ｋは、感光体１２１Ｙ〜１２１Ｋにトナーを供給し、感光体１２１Ｙ〜１２１Ｋの感光面に形成した静電潜像を顕像化する。感光体１２１Ｙ〜１２１Ｋは、感光面に形成したトナー像を、中間転写ベルト１２３に転写する（いわゆる、一次転写）。中間転写ベルト１２３は、矢印Ｄ１の方向に移動して、トナー像を搬送し、二次転写位置Ｔにおいて、中間転写ベルト１２３上のトナー像を用紙に転写する。
【００１５】
用紙は、定着器１４０に移動し、定着器１４０は、用紙を加熱して、トナー像を用紙に定着する。トナー像が定着した用紙は、複数のローラによって搬送路Ｐ１を移動し、トレイ１５０に移動する。搬送路Ｐ２は、用紙を反転させるための通路である。
【００１６】
図２は、画像形成装置１００の回路構成を示す。
【００１７】
制御部１０は、ＣＰＵ１０ａと、メモリ１０ｂと、デバイスドライバ１０ｃとを有する。制御部１０は、画像形成装置１００の動作を制御する。拡張メモリ１３は、制御部１０に接続されている。
【００１８】
ＵＳＢホストインターフェース１１は、ＵＳＢデバイスの接続に用いられる。ＵＳＢデバイスとして、例えば、ＵＳＢメモリを用いることができる。ＵＳＢデバイスインターフェース１２は、ＵＳＢケーブルを介して、ホストコンピュータ等のＵＳＢホストと接続される。ＵＳＢデバイスインターフェース１２は、画像形成装置１００を周辺デバイスとして使用するために用いられる。
【００１９】
図３は、ＵＳＢデバイスを画像形成装置１００に接続するための回路構成を示す。
【００２０】
ＵＳＢデバイス３０は、ＵＳＢホストインターフェース１１に接続している。ＵＳＢホストインターフェース１１は、４本の信号線２１と接続されている。４本の信号線２１は、電源ラインと、ＧＮＤラインと、データラインとを含む。
【００２１】
ＵＳＢコントローラ２２は、信号線２１と接続され、ＵＳＢデバイス３０の制御を行う。スイッチ２３は、ＣＰＵ１０ａからの制御信号を受けて、オンおよびオフの間で切り替わる。スイッチ２３がオンであるとき、スイッチ２３は、電源からの電力をＵＳＢコントローラ２２に供給する。スイッチ２３がオフであるとき、スイッチ２３は、ＵＳＢコントローラ２２への電力供給を遮断する。
【００２２】
スイッチ２４は、ＵＳＢデバイス３０がＵＳＢホストインターフェース１１に接続されているか否かを検出するために用いられる。スイッチ２４の検出信号は、ＣＰＵ１０ａに入力する。
【００２３】
図４は、スイッチ２４の構成を示す。スイッチ２４は、プッシュスイッチである。スイッチ２４は、ＵＳＢコネクタ４１（ＵＳＢホストインターフェース１１に対応する）とともに回路基板４２に取り付けられている。スイッチ２４は、ＵＳＢコネクタ４１の接続口４１ａに対して、ＵＳＢデバイス３０の挿入側にある。ＵＳＢコネクタ４１およびスイッチ２４は、ＵＳＢデバイス３０の接続方向（図４の左右方向）において並んでいる。
【００２４】
ＵＳＢデバイス３０は、矢印Ｍ１の方向に移動することにより、ＵＳＢコネクタ４１と接続する。ＵＳＢデバイス３０は、矢印Ｍ１と逆方向に移動することにより、ＵＳＢコネクタ４１から外れる。
【００２５】
スイッチ２４の一部は、ＵＳＢデバイス３０の移動軌跡上にある。ＵＳＢデバイス３０がＵＳＢコネクタ４１に接続するとき、ＵＳＢデバイス３０は、スイッチ２４を押すことにより、スイッチ２４の出力信号がオフからオンに切り替わる。ＣＰＵ１０ａは、スイッチ２４の出力信号（オン）を受けて、ＵＳＢデバイス３０がＵＳＢコネクタ４１に接続されたことを判別する。
【００２６】
ＵＳＢデバイス３０がＵＳＢコネクタ４１から外れると、ＵＳＢデバイス３０がスイッチ２４から離れ、スイッチ２４の出力信号がオンからオフに切り替わる。ＣＰＵ１０ａは、スイッチ２４の出力信号（オフ）を受けて、ＵＳＢデバイス３０がＵＳＢコネクタ４１から外れたことを判別する。
【００２７】
図５および図６は、ＵＳＢデバイス３０が画像形成装置１００に接続したときの画像形成装置１００の動作を示す。ＣＰＵ１０ａは、メモリ１０ｂに格納されているプログラムに基づいて、図５および図６に示す処理を実行する。画像形成装置１００は、省電力モードに設定されている。
【００２８】
省電力モードが設定されているとき、画像形成装置１００は、通常動作モードでの消費電力よりも低い消費電力に設定する。省電力モードが設定されているとき、ＣＰＵ１０ａは、ＵＳＢコントローラ２２への電力供給を遮断する。通常動作モードが設定されているとき、画像形成装置は、後述する印刷処理や画像取り込み処理を実行できる。
【００２９】
ＣＰＵ１０ａは、スイッチ２４の出力に基づいて、ＵＳＢデバイス３０がＵＳＢホストインターフェース１１（ＵＳＢコネクタ４１）に接続されているか否かを判別する（ＡＣＴ１０１）。ＵＳＢデバイス３０がＵＳＢホストインターフェース１１に装着されると、スイッチ２４は、オフからオンに切り替わり、ＣＰＵ１０ａに割り込み信号を出力する。ＣＰＵ１０ａは、スイッチ２４からの割り込み信号を受けて、ＵＳＢデバイス３０がＵＳＢホストインターフェース１１に装着されていることを判別する。
【００３０】
ＣＰＵ１０ａは、省電力モードの設定を解除し、省電力モードから通常動作モードに切り替える（ＡＣＴ１０２）。ＣＰＵ１０ａは、ＵＳＢコントローラ２２およびＵＳＢデバイス３０に電力を供給する（ＡＣＴ１０３）。ＣＰＵ１０ａは、スイッチ２３に制御信号を出力することにより、スイッチ２３をオフからオンに切り替える。スイッチ２３がオンになると、ＵＳＢコントローラ２２やＵＳＢデバイス３０に電力が供給される。
【００３１】
ＣＰＵ１０ａは、ＵＳＢデバイス３０からデータを取得する（ＡＣＴ１０４）。取得データは、ＵＳＢデバイス３０に格納されたデータに関する情報（ファイル情報）である。ＣＰＵ１０ａは、ＵＳＢデバイス３０から取得したデータを、画像形成装置１００のコントロールパネル１６０に表示する（ＡＣＴ１０５）。
【００３２】
ユーザは、コントロールパネル１６０に表示されたデータを選択でき、選択したデータを用いて所定の処理を行うことができる。所定の処理とは、後述するように、印刷処理や、画像の取り込み処理である。例えば、図７に示すように、コントロールパネルは、ＵＳＢデバイス３０から取得したデータを、印刷処理の対象として表示できる。
【００３３】
ＣＰＵ１０ａは、コントロールパネル１６０に表示したデータをユーザが選択したか否かを判別する（ＡＣＴ１０６）。ＣＰＵ１０ａは、選択されたデータを用いた処理内容を確認する（ＡＣＴ１０７）。ユーザがコントロールパネル１６０を操作して、データの印刷を指示すると、ＣＰＵ１０ａは、印刷処理を実行する（ＡＣＴ１０８）。ユーザがコントロールパネル１６０を操作して画像の取り込みを指示すると、ＣＰＵ１０ａは、画像の取り込み処理を実行する（ＡＣＴ１０９）。
【００３４】
ＣＰＵ１０ａは、省電力モードが設定されているか否かを判別する（ＡＣＴ１１０）。省電力モードを設定するとき、ＣＰＵ１０ａは、省電力モード用のフラグを設定しておくことにより、省電力モードが設定されているか否かを判別できる。ＣＰＵ１０ａは、省電力モードが設定されていなければ、取得データの表示を行う（ＡＣＴ１０５）。
【００３５】
ＣＰＵ１０ａは、省電力モードの設定条件を満たしているか否かを判別する（ＡＣＴ１１１）。省電力モードの設定条件とは、通常動作モードから省電力モードに切り替えるための条件である。例えば、所定時間が経過したときに、通常動作モードから省電力モードに切り替えることができる。ＣＰＵ１０ａは、タイマを用いることにより、所定時間が経過したか否かを判別できる。所定時間のカウントを開始するタイミングは、例えば、画像形成装置１００の動作が停止したタイミングとすることができる。
【００３６】
省電力モードの設定条件を満たしているとき、ＣＰＵ１０ａは、通常動作モードから省電力モードに切り替える（ＡＣＴ１１２）。ＣＰＵ１０ａは、スイッチ２３をオンからオフに切り替えることにより、ＵＳＢコントローラ２２やＵＳＢデバイス３０への給電を禁止する。省電力モードが設定されているとき、スイッチ２４には電力が供給される。
【００３７】
（第２の実施形態）
図８は、ＵＳＢデバイス３０の装着を検出する機構を示す。検出機構は、レバー４３およびスイッチ（プッシュスイッチ）２４を有する。レバー４３は、第１アーム４３ａと、第２アーム４３ｂと、回転軸４３ｃとを有する。軸受け４４は、回転軸４３ｃを支持し、レバー４３は、回転軸４３ｃの周りで回転する。
【００３８】
レバー４３は、バネ４５によって矢印Ｍ２の方向に付勢されている。軸受け４４およびスイッチ２４は、支持プレート４６に取り付けられている。支持プレート４６としては、例えば、画像形成装置１００の外装ケースを用いることができる。
【００３９】
ＵＳＢデバイス３０がＵＳＢコネクタ４１と接続するとき、ＵＳＢデバイス３０は矢印Ｍ１の方向に移動することにより、レバー４３の第２アーム４３ｂを押す。レバー４３は、バネ４５の付勢力に抗して、矢印Ｍ３の方向に回転する。ＵＳＢコネクタ４１は、第２アーム４３ｂの移動軌跡から離れている。
【００４０】
レバー４３が矢印Ｍ３の方向に回転すると、第１アームがスイッチ２４を押し、スイッチ２４の出力信号は、オフからオンに切り替わる。ＣＰＵ１０ａは、スイッチ２４の出力信号（オン信号）を受けて、ＵＳＢデバイス３０がＵＳＢコネクタ４１に接続されたことを判別する。
【００４１】
ＵＳＢデバイス３０がＵＳＢコネクタ４１から外れると、レバー４３は、バネ４５の付勢力を受けて、矢印Ｍ２の方向に回転する。第１アーム４３ａは、スイッチ２４から離れ、スイッチ２４の出力信号は、オンからオフに切り替わる。ＣＰＵ１０ａは、スイッチ２４の出力信号（オフ）を受けて、ＵＳＢデバイス３０がＵＳＢコネクタ４１から外れたことを判別する。
【００４２】
（第３の実施形態）
図９は、ＵＳＢデバイス３０の装着を検出する機構を示す。検出機構は、レバー４３およびフォトインタラプタ５０を有する。第１アーム４３ａは、レバー４３の回転に応じて、フォトインタラプタ５０の検出領域に進入したり、検出領域から退避したりする。
【００４３】
フォトインタラプタ５０は、検出光を照射する発光素子と、検出光を受光する受光素子とを有する。発光素子および受光素子は、第１アーム４３ａの移動領域を挟む位置にある。発光素子および受光素子の間に第１アーム４３ａがあれば、第１アーム４３ａは、発光素子から受光素子に向かう光を遮る。第１アーム４３ａがフォトインタラプタから離れると、発光素子の光が受光素子に到達する。第１アーム４３ａの移動に応じて、受光素子の出力が切り替わる。受光素子の出力をモニタすることにより、レバー４３の位置を確認できる。
【００４４】
ＵＳＢデバイス３０がＵＳＢコネクタ４１と接続するとき、ＵＳＢデバイス３０は、第２アーム４３ｂを押す。レバー４３は、バネ４５の付勢力に抗して、矢印Ｍ３の方向に回転する。第１アーム４３ａは、フォトインタラプタ５０の検出領域に進入することにより、フォトインタラプタ５０の出力信号が切り替わる。
【００４５】
ＣＰＵ１０ａは、フォトインタラプタ５０の出力信号の切り替わりを受けて、ＵＳＢデバイス３０がＵＳＢコネクタ４１に接続されていることを判別する。
【００４６】
ＵＳＢデバイス３０をＵＳＢコネクタ４１から外すとき、レバー４３は、バネ４５の付勢力によって、矢印Ｍ２の方向に回転する。第１アーム４３ａは、フォトインタラプタ５０の検出領域から離れ、フォトインタラプタ５０の出力信号が切り替わる。ＣＰＵ１０ａは、フォトインタラプタ５０の出力信号の切り替わりを受けて、ＵＳＢデバイス３０がＵＳＢコネクタ４１から外れていることを判別する。
【００４７】
発光素子および受光素子は、第１アーム４３ａの移動領域に対して片側に配置することができる。第１アーム４３ａは、発光素子からの光を反射して、受光素子に到達させることができる。第１アーム４３ａがフォトインタラプタから離れれば、発光素子からの光は、受光素子に到達しない。
【００４８】
第１から第３の実施形態は、検出機構の一例を説明した。検出機構は、機械構造を用いて出力信号を切り替えることにより、ＵＳＢデバイスの装着を検出できればよい。
【００４９】
（第４の実施形態）
図１０は、画像形成装置１００にＰＣ（Personal Computer）６０を接続した構成を示す。ＵＳＢケーブル６１は、ＰＣ６０に接続されており、コネクタ６２を有する。コネクタ６２は、画像形成装置１００のＵＳＢデバイスインターフェース１２に接続する。
【００５０】
スイッチ２４は、コネクタ６２がＵＳＢデバイスインターフェース１２に接続されているか否かを検出するために用いられる。コネクタ６２の装着状態を判別する機構は、第１から第３の実施形態で説明した検出機構を用いることができる。
【００５１】
図１１および図１２は、ＵＳＢケーブル６１を接続したときの画像形成装置１００の動作を示すフローチャートである。ＣＰＵ１０ａは、メモリ１０ｂに格納されているプログラムに基づいて、図１１および図１２に示す処理を実行する。画像形成装置１００は、省電力モードに設定されている。
【００５２】
ＣＰＵ１０ａは、スイッチ２４の出力に基づいて、ＵＳＢケーブル６１がＵＳＢデバイスインターフェース１２に接続されているか否かを判別する（ＡＣＴ２０１）。ＵＳＢケーブル６１がＵＳＢデバイスインターフェース１２に装着されると、スイッチ２４は、オフからオンに切り替わり、ＣＰＵ１０ａに割り込み信号を出力する。ＣＰＵ１０ａは、スイッチ２４からの割り込み信号を受けて、ＵＳＢケーブル６１がＵＳＢデバイスインターフェース１２に装着されていることを判別する。
【００５３】
ＣＰＵ１０ａは、省電力モードの設定を解除し、省電力モードから通常動作モードに切り替える（ＡＣＴ２０２）。ＣＰＵ１０ａは、ＵＳＢコントローラ２２およびＵＳＢケーブル６１に電力を供給する（ＡＣＴ２０３）。ＣＰＵ１０ａは、スイッチ２３に制御信号を出力することにより、スイッチ２３をオフからオンに切り替える。スイッチ２３がオンになると、ＵＳＢコントローラ２２やＵＳＢケーブル６１に電力が供給される。
【００５４】
ＰＣ６０は、画像形成装置１００を認識する（ＡＣＴ２０４）。ＣＰＵ１０ａは、ＰＣ６０からの指示を判別し（ＡＣＴ２０５）、指示に応じた処理を実行する。ＰＣ６０からの指示が印刷処理であれば、印刷処理を実行する（ＡＣＴ２０６）。ＰＣからの指示が、画像の取り込みであれば、画像の取り込み処理を実行する（ＡＣＴ２０７）。
【００５５】
ＣＰＵ１０ａは、省電力モードが設定されているか否かを判別する（ＡＣＴ２０８）。省電力モードを設定するとき、ＣＰＵ１０ａは、省電力モード用のフラグを設定しておくことにより、省電力モードが設定されているか否かを判別できる。ＣＰＵ１０ａは、省電力モードが設定されていなければ、ＰＣ６０からの指示を待つ。
【００５６】
省電力モードが設定されているとき、ＣＰＵ１０ａは、省電力モードの設定条件を満たしているか否かを判別する（ＡＣＴ２０９）。例えば、所定時間が経過したときに、通常動作モードから省電力モードに切り替えることができる。
【００５７】
省電力モードの設定条件を満たしているとき、ＣＰＵ１０ａは、通常動作モードから省電力モードに切り替える（ＡＣＴ２１０）。ＣＰＵ１０ａは、スイッチ２３をオンからオフに切り替えることにより、ＵＳＢコントローラ２２やＵＳＢケーブル６１への給電を禁止する。
【００５８】
上述した第１〜第４の実施形態によれば、スイッチ２４やフォトインタラプタ５０といった検出素子を用いて、ＵＳＢデバイス３０やＵＳＢケーブル６１の装着を検出している。検出素子は、ＵＳＢデバイス３０又はＵＳＢケーブル６１を装着するときの物理的な変化を検出する。スイッチ２４は、ＵＳＢデバイス３０等によって物理的に押し込まれることにより、出力信号を切り替える。フォトインタラプタ５０は、受光素子に向かう検出光が物理的に変化することにより、出力信号を切り替える。
【００５９】
ＵＳＢコントローラ２２は、ＵＳＢデバイス３０やＵＳＢケーブル６１の装着を検出する必要がなくなり、ＵＳＢコントローラ２２に電力を供給する必要もない。画像形成装置１００が省電力モードにあるとき、ＵＳＢコントローラ２２への電力供給も禁止でき、電力消費を更に低減できる。
【００６０】
また、ＵＳＢデバイス３０やＵＳＢケーブル６１を装着するだけで、画像形成装置１００を省電力モードから通常動作モードに切り替えることができる。
【００６１】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００６２】
１０：制御部、１０ａ：ＣＰＵ、１０ｂ：メモリ、１０ｃ：デバイスドライバ、
１１：ＵＳＢホストインターフェース、１２：ＵＳＢデバイスインターフェース、
２１：信号線、２２：ＵＳＢコントローラ、２３，２４：スイッチ、
３０：ＵＳＢデバイス、４１：ＵＳＢコネクタ、４１ａ：接続口、４２：回路基板、
４３：レバー、４３ａ：第１アーム、４３ｂ：第２アーム、４３ｃ：回転軸、
４４：軸受け、４５：バネ、４６：支持プレート、５０：フォトインタラプタ、
６０：ＰＣ、６１：ＵＳＢケーブル、６２：コネクタ、１００：画像形成装置
【先行技術文献】
【特許文献】
【００６３】
【特許文献１】特開２００７−４７８３号公報
【００６４】
【特許文献２】特開２００７−１２５８０１号公報
【００６５】
【特許文献３】特開２００７−６８１５６号公報
【００６６】
【特許文献４】特開２００８−１１９９３９号公報
【図１】
2011079313.tif 000003
【図２】
2011079313.tif 000004
【図３】
2011079313.tif 000005
【図４】
2011079313.tif 000006
【図５】
2011079313.tif 000007
【図６】
2011079313.tif 000008
【図７】
2011079313.tif 000009
【図８】
2011079313.tif 000010
【図９】
2011079313.tif 000011
【図１０】
2011079313.tif 000012
【図１１】
2011079313.tif 000013
【図１２】
2011079313.tif 000014